【事件の表示】
　特許第２７７８５３８号「フリーアクセスフロア」の請求項１ないし１１に係る特許に対する特許異議の申立てについて、次のとおり決定する。
【結　論】
　訂正を認める。
　特許第２７７８５３８号の請求項１ないし９に係る特許を維持する。
【理　由】
一　手続きの経緯
　本件特許第２７７８５３８号発明は、平成７年７月１４日（優先権主張、平成６年１１月２４日）に特許出願され、平成１０年５月８日にその特許の設定登録がなされ、その後、江井浩孝より特許異議の申立てがなされ、次いで、取消理由通知がなされ、その指定期間内である平成１１年９月２４日に訂正請求（後日取下げ）がなされた後、再度の取消理由通知がなされ、その指定期間内である平成１２年３月９日に訂正請求がなされたものである。
　
二　訂正の適否についての判断
１　訂正請求の趣旨及び内容
　上記訂正請求の趣旨は、特許第２７７８５３８号の明細書（以下、「特許明細書」という。）を訂正請求書に添付した訂正明細書のとおり訂正することを求めることである。
　訂正の内容は以下のとおりである。
（ａ）訂正事項１
　特許請求の範囲の請求項１の、
「金属板の４辺にリブ用張出し部を突設し、該リブ用張出し部がリブとなるように当該リブ用張出し部を下方に折り曲げて、平面形状正方形の正方形床板を形成し、金属板の４辺にリブ用張出し部を突設し、該リブ用張出し部がリブとなるように当該リブ用張出し部を下方に折り曲げて、短辺が前記正方形の一辺に等しく、長辺が実質的に前記正方形の一辺の複数倍に等しい、平面形状長方形の長方形床板を形成し、前記正方形床板を配線通路の交差部に配置し、残余の部分に前記正方形床板又は長方形床板を配置し、各床板のコーナー部が集合する部分に、上面に各床板の前記リブが嵌入する嵌入溝を有する支持脚を配置して、該支持脚の前記上面によって前記各床板を支持したフリーアクセスフロア。」との記載を、
「金属板の４辺にリブ用張出し部を突設し、該リブ用張出し部がリブとなるように当該リブ用張出し部を下方に折り曲げて、平面形状正方形の正方形床板を形成し、金属板の４辺にリブ用張出し部を突設し、該リブ用張出し部がリブとなるように当該リブ用張出し部を下方に折り曲げて、短辺が前記正方形の一辺に等しく、長辺が実質的に前記正方形の一辺の複数倍に等しい、平面形状長方形の長方形床板を形成し、前記正方形床板と前記長方形床板を使用して、正方形床板の各辺に長方形床板の短辺が隣接するように各々配置して配線通路の交差部を形成し、残余の部分に前記長方形床板を配置し、各床板のコーナー部が集合する部分に、上面に各床板の前記リブが嵌入する嵌入溝を有する支持脚を配置して、該支持脚の前記上面によって前記各床板を支持し、前記嵌入溝に押え部を突設して、嵌入溝に床板の前記リブを圧入して固定できるように形成したフリーアクセスフロア。」と訂正する。
　又、同請求項２及び３を削除し、以降の請求項の項番を繰り上げる。
（ｂ）訂正事項２
　特許明細書段落【０００４】の「正方形床板を配線通路の交差部に配置し、残余の部分に前記正方形床板又は長方形床板を配置し、各床板のコーナー部が集合する部分に、上面に各床板の前記リブが嵌入する嵌入溝を有する支持脚を配置して、該支持脚の前記上面によって前記各床板を支持したフリーアクセスフロアである。」との記載を、「正方形床板と長方形床板を使用して、正方形床板の各辺に長方形床板の短辺が隣接するように各々配置して配線通路の交差部を形成し、残余の部分に長方形床板を配置し、各床板のコーナー部が集合する部分に、上面に各床板の前記リブが嵌入する嵌入溝を有する支持脚を配置して、該支持脚の前記上面によって前記各床板を支持し、嵌入溝に押え部を突設して、嵌入溝に床板のリブを圧入して固定できるように形成したフリーアクセスフロアである。」と訂正し、
　同段落【０００６】の「正方形床板１は、配線の通路の交差部に配置されており、この交差部以外の配線通路には、長方形床板２が配線通路に沿う方向に配置されている。」との記載を、「正方形床板１と長方形床板２とは、正方形床板１の各辺に長方形床板２の短辺が隣接するように各々配置され、配線通路の交差部を形成している。」と訂正し、
　同段落【００１１】の「図９はその一例を示し、この実施例では」との記載を、「図９にその一例を示し、この参考例では」と訂正し、
　同段落【００１６】の「【発明の効果】本発明によれば、・・・位置ずれを防止する機能を発揮する。更に両床板を適宜組み合わせることにより、配線通路の位置の変更に柔軟に対処することができる。」との記載を、「【発明の効果】本発明によれば、・・・位置ずれを防止する機能を発揮する。」と訂正し、
　同【図面の簡単な説明】欄の「【図９】配線通路のピッチを変更した場合を示す平面図」との記載を、「【図９】配線通路のピッチを変更した場合の参考例を示す平面図」と訂正する。
（ｃ）訂正事項３
　特許明細書段落【００１３】の「扇形部５ｂ」との記載を、「扇形部５ｃ」と訂正する。
２　訂正の目的の適否、及び新規事項・拡張・変更の存否
　上記訂正事項１は、請求項１に記載の「正方形床板と長方形床板の配置」及び「嵌入溝」の構成を限定したものであり、又請求項２及び３を削除したものであるから、特許請求の範囲の減縮に該当するとともに、「配線通路の交差部」の構成を明りょうにしたものであるから、明りょうでない記載の釈明に該当し、
　上記訂正事項２は、上記訂正事項１による特許請求の範囲の減縮に伴い生じる、特許請求の範囲の記載と発明の詳細な説明の記載との不整合を回避するために行う、明りょうでない記載の釈明に該当し、
　上記訂正事項３は、誤記の訂正に該当するものということができる。
　そして、上記訂正により請求項１に追加された事項の、「前記正方形床板と長方形床板を使用して、正方形床板の各辺に長方形床板の短辺が隣接するように各々配置して配線通路の交差部を形成し、残余の部分に前記長方形床板を配置し」は、特許明細書段落【０００５】及び図１に、「前記嵌入溝に押え部を突設して、嵌入溝に床板の前記リブを圧入して固定できるように形成した」は、同特許請求の範囲の請求項３にそれぞれ記載されたものであるから、訂正事項１〜３で訂正した事項は、願書に添付した明細書及び図面に記載された事項の範囲内の訂正であり、また、実質的に特許請求の範囲を拡張又は変更するものではない。
３　独立特許要件の判断
（１）訂正後の発明
　訂正後の請求項１〜９に係る発明（以下、「本件訂正発明１〜９」という。）は、上記訂正請求により提出された全文訂正明細書（以下、「訂正明細書」という。）の特許請求の範囲の請求項１〜９に記載された事項により特定される次のとおりのものと認められる。
「【請求項１】金属板の４辺にリブ用張出し部を突設し、該リブ用張出し部がリブとなるように当該リブ用張出し部を下方に折り曲げて、平面形状正方形の正方形床板を形成し、金属板の４辺にリブ用張出し部を突設し、該リブ用張出し部がリブとなるように当該リブ用張出し部を下方に折り曲げて、短辺が前記正方形の一辺に等しく、長辺が実質的に前記正方形の一辺の複数倍に等しい、平面形状長方形の長方形床板を形成し、前記正方形床板と前記長方形床板を使用して、正方形床板の各辺に長方形床板の短辺が隣接するように各々配置して配線通路の交差部を形成し、残余の部分に前記長方形床板を配置し、各床板のコーナー部が集合する部分に、上面に各床板の前記リブが嵌入する嵌入溝を有する支持脚を配置して、該支持脚の前記上面によって前記各床板を支持し、前記嵌入溝に押え部を突設して、嵌入溝に床板の前記リブを圧入して固定できるように形成したフリーアクセスフロア。
　【請求項２】前記支持脚は、上面に十文字状の溝を有し、該十文字の交差部を除いた部分の溝の中央にスペーサを突設して、隣接する各床板の前記リブが互いに当接しないように前記嵌入溝を形成した、請求項１記載のフリーアクセスフロア。
　【請求項３】前記支持脚は、上面に十文字状の溝を有し、該十文字の交差部を除いた部分の溝の中央にスペーサを突設して、隣接する各床板の前記リブが互いに当接しないように前記嵌入溝を形成し、下面にパイプ嵌入部を形成したキャップと、該キャップの前記パイプ嵌入部に嵌入したパイプとからなり、該パイプの下端に緩衝材を取り付けた、請求項１記載のフリーアクセスフロア。
　【請求項４】隣接する少なくとも２つの前記緩衝材を連結した、請求項３記載のフリーアクセスフロア。
　【請求項５】前記長方形床板の長辺の中間部に、配線取出し溝を形成した、請求項１、２、３又は４記載のフリーアクセスフロア。
　【請求項６】前記配線取出し溝を形成した部分に前記支持脚を配置し、前記配線取出し溝の奥行きを、前記支持脚によって隠蔽されないほど長く形成した、請求項５記載のフリーアクセスフロア。
　【請求項７】前記長方形床板の長辺の中間部に、折り曲げ加工によって配線取り出し用の溝とすることができる一対のスリットを形成した、請求項１〜６のいずれか１項に記載のフリーアクセスフロア。
　【請求項８】前記正方形床板の上面に十文字状の配線方向マークを付した、請求項１〜７のいずれか１項に記載のフリーアクセスフロア。
　【請求項９】前記正方形床板又は長方形床板の４辺のリブのうち、少なくとも１辺のリブの一端に切込みを設けた、請求項１〜８のいずれか１項に記載のフリーアクセスフロア。」
（２）特許法第２９条の２に関して
（先願明細書記載の発明）
　当審が通知した取消理由で引用した、先願明細書（特願平５−３３２７７９号（特開平７−１８９４６５号）の願書に最初に添付した明細書及び図面。特許異議申立人が提出した甲第１号証。）には、段落【０００８】、【０００９】、【００１０】及び【００１３】、並びに第１〜１４図の記載からみて、
「金属板の４辺にリブ用張出し部を突設し、該リブ用張出し部がリブとなるように当該リブ用張出し部を下方に折り曲げて、平面形状正方形の配線溝蓋を形成し、金属板の４辺にリブ用張出し部を突設し、該リブ用張出し部がリブとなるように当該リブ用張出し部を下方に折り曲げて、短辺が前記正方形の一辺に等しく、長辺が実質的に前記正方形の一辺の約３倍に等しい、平面形状長方形の配線溝蓋を形成し、前記正方形の配線溝蓋を配線通路の交差部に配置し、残余の部分に前記長方形の配線溝蓋を配置し、各配線溝蓋のコーナー部が集合する部分に、上面に各配線溝蓋の前記リブが嵌入する嵌入溝を有する支柱を配置して、該支柱の前記上面によって前記各配線溝蓋を支持した二重床ユニット。」
の発明が記載されているものと認められる。
（対比・判断）
　本件訂正発明１と上記先願明細書に記載の発明とを対比すると、本件訂正発明１が、「嵌入溝に押え部を突設して、嵌入溝に床板のリブを圧入して固定できるように形成した」との構成を有しているのに対し、上記先願明細書には、上記構成が何ら記載されておらず、示唆するところもない。
　そして、本件訂正発明１は、上記構成を有することにより、「床板のがたつきや浮き上がりを防止することができ、歩行感も良好なものとなります。」（平成１２年３月９日付け特許異議意見書第４頁第２０〜２１行）との格別顕著な効果を奏するものである。
　したがって、本件訂正発明１は、上記先願明細書に記載された発明と同一であるとはいえない。
（３）特許法第２９条第２項に関して
（刊行物記載の発明）
〈刊行物１〉
　当審が通知した取消理由で引用した、本件特許発明の出願前に頒布された刊行物１（特開平２−２３６３５３号公報。異議申立人が提出した甲第７号証。）には、公報第３頁左上欄第７〜１５行及び第４頁左上欄第３行〜右下欄第１２行の記載、並びに第１〜３図の記載からみて、
「スチール板の４辺にリップ部を設けた、平面形状正方形の床タイルを形成し、前記床タイルを配置し、各床タイルの縁部及びコーナー部が集合する部分に、上面に各床タイルの前記リップ部が嵌入する十字状の溝を有する支持突起を配置して、該支持突起の前記上面によって前記各床タイルを支持した床構造体。」
の発明が記載されているものと認められる。
〈刊行物２〉
　当審が通知した取消理由で引用した、本件特許発明の出願前に頒布された刊行物２（実公平５−４０１８８号公報。異議申立人が提出した甲第３号証。）には、第３頁第５欄第２６〜３３行及び第３頁第６欄末行〜第４頁第７欄第７行の記載、並びに第２，３，７図の記載からみて、
「正方形のブロック床体と、短辺が前記正方形の一辺に等しく、長辺が実質的に前記正方形の一辺の複数倍に等しい、長手基台とからなる床構造。」
の発明が記載されているものと認められる。
〈刊行物３〉
　異議申立人が提出した甲第４号証（特開平４−３６８４１２号公報。以下、「刊行物３」という。）には、公報第４頁第６欄第５〜９行、及び図３６の記載からみて、
「正方形状の床ブロックと長方形状のインナーコンセントとからなる床材。」
の発明が記載されているものと認められる。
〈刊行物４〉
　異議申立人が提出した甲第５号証（特公昭５０−１１１７１号公報。以下、「刊行物４」という。）には、公報第４欄第１５〜２２行、並びに第４及び５図の記載からみて、
「床パネルの隅部に下向きにフランジを設け、支柱の上板に十字状の溝を形成し、上記フランジが上記溝に嵌入するようにして床パネルを支柱に固定した床構造。」
の発明が記載されているものと認められる。
〈刊行物５〉
　異議申立人が提出した甲第６号証（特開昭６２−１０３６３号公報。以下、「刊行物５」という。）には、公報第２頁右下欄第１５行〜第３頁左上欄第１４行、並びに第１５及び１６図の記載からみて、
「床パネルに補強リブを設け、支持脚の頭部に十字状の溝を形成し、上記補強リブの隅角部が上記溝に嵌入するようにして床パネルを支持脚に載置した床構造。」
の発明が記載されているものと認められる。
（対比・判断）
〈請求項１に係る発明について〉
　そこで、本件訂正発明１と上記刊行物１記載の発明とを対比すると、刊行物１に記載の発明の「スチール」、「リップ部」、「床タイル」及び「支持突起」は、本件訂正発明１の「金属」、「リブ」、「床板」、及び「支持脚」にそれぞれ相当するから、下記の相違点で両者は相違し、その余の点では一致している。
相違点１
　本件訂正発明１が、正方形床板と、短辺が前記正方形の一辺に等しく、長辺が実質的に前記正方形の一辺の複数倍に等しい、長方形床板とからなるのに対し、刊行物１に記載の発明は、正方形の床タイル（床板）からなる点。
相違点２
　本件訂正発明１が、正方形床板と長方形床板を使用して、正方形床板の各辺に長方形床板の短辺が隣接するように各々配置して配線通路の交差部を形成し、残余の部分に前記長方形床板を配置したのに対し、刊行物１に記載の発明は、配線通路が不明である点。
相違点３
　本件訂正発明１が、嵌入溝に押え部を突設して、嵌入溝に床板のリブを圧入して固定できるように形成したのに対し、刊行物１に記載の発明は、そのような構成を有していない点。
　そこで、上記相違点について検討する。
　相違点３について、刊行物２には、正方形のブロック床体（本件訂正発明１の「正方形床板」に相当する。）と、短辺が前記正方形の一辺に等しく、長辺が実質的に前記正方形の一辺の複数倍に等しい、長手基台（同「長方形床板」に相当する。）とからなる床構造が記載されているが、上記本件訂正発明１の相違点３に係る構成は、何ら記載されておらず、示唆するところもない。又、刊行物３には、床板（床ブロック、インナーコンセント）を正方形と長方形とに形成することが記載されているが、上記本件訂正発明１の相違点３に係る構成は、何ら記載されておらず、示唆するところもない。更に、刊行物４及び５には、各床板（床パネル）のコーナー部が集合する部分に、上面に各床板のリブが嵌入する嵌入溝を有する支持脚（支柱）を配置して、該支持脚の前記上面によって前記各床板を支持することがそれぞれ記載されているが、上記本件訂正発明１の相違点３に係る構成は、何ら記載されておらず、示唆するところもない。
　そして、本件訂正発明１は、上記構成を有することにより、格別顕著な効果を奏するものである。
　したがって、本件訂正発明１は、上記相違点１及び２について検討するまでもなく、上記刊行物１〜５に記載された発明に基いて、当業者が容易に発明をすることができたものとはいえない。
〈請求項２〜９に係る発明について〉
　本件訂正後の請求項２〜９に係る発明（本件訂正発明２〜９）は、同請求項１に係る発明を技術的に限定したものであるから、上記〈請求項１に係る発明について〉でしたと同様の対比、判断により、本件訂正発明２〜９は、上記刊行物１〜５に記載された発明に基いて、当業者が容易に発明をすることができたものとはいえない。
（４）特許法第３６条に関して
（取消理由）
　当審が通知した取消理由の特許法第３６条第６項第２号についての具体的理由は、以下のとおりである。
（イ）請求項１に係る発明において、「正方形床板を配線通路の交差部に配置し」と記載されているが、発明の全体構成から考えて、どの床板の下面も配線が可能であり、又配線通路とそれ以外のところの構成の相違はないから、「配線通路」がどのような意味をもつのか不明である。
（ロ）請求項１に係る発明において、「残余の部分に前記正方形床板又は長方形床板を配置し」と記載されているが、残余に正方形床板のみを採用した場合、長方形床板は必要なくなるが、そうすると「・・・長方形床板を形成し」なる記載と整合性がなく、発明の全体としての構成が不明りょうである。
（判断）
　本件訂正発明１は、上記訂正（訂正事項１）により、「前記正方形床板と前記長方形床板を使用して、正方形床板の各辺に長方形床板の短辺が隣接するように各々配置して配線通路の交差部を形成し、残余の部分に前記長方形床板を配置し」たものとなり、これにより、正方形床板と長方形床板とを両方とも使用するものとなり、又配線通路の交差部と、正方形床板及び長方形床板との関係が明確となり、結果として配線通路の交差部も明確となった。
　したがって、本件訂正発明１は、特許法第３６条第６項第２号の規定を満たすものである。
（５）まとめ
　また、他に本件訂正発明１〜９が独立して特許を受けることができない理由を発見しない。
　よって、本件訂正発明１〜９は特許出願の際独立して特許を受けることができる発明ということができる。
４　むすび
　以上のとおりであるから、上記訂正請求は、特許法第１２０条の４第２項及び同条第３項で準用する第１２６条第２〜４項の規定に適合するので、当該訂正を認める。
　
三　特許異議の申立てについての判断
１　本件訂正発明
　本件の訂正後の請求項１〜９に係る発明（本件訂正発明１〜９）は、訂正明細書の特許請求の範囲の請求項１〜９に記載された上記のとおりのもの（上記「二　３　（１）」の項を参照。）と認められる。
２　異議申立ての理由の概要
　異議申立人は、
イ　特許明細書の特許請求の範囲の請求項１に係る発明は、甲第１号証（先願明細書）又は甲第２号証に記載された発明と同一であり、特許法第２９条の２の規定により特許を受けることができないものであり、
ロ　同請求項１に係る発明は、本件特許発明の出願前に頒布された甲第３〜７号証（刊行物１〜５）に記載された発明に基いて当業者が容易に発明をすることができたものであり、特許法第２９条第２項の規定により特許を受けることができないものであり、
ハ　同請求項１に係る発明は、特許請求の範囲の請求項１の記載において、「配線通路とは、どこを示すのか特定されておらず、図１を参酌しても、正方形状床板及び長方形状床板を支えている支持脚３の間の空間は全て配線空間であり配線通路でもあり、配線通路と定義付けする意味が不明であります。また、配線通路の交差部に、正方形床板を配置する記載があるが、正方形床板を配線通路の交差部に配置するという意義が不明であります。即ち、長方形床板が配置される配線通路では交差部が生じないのか？　長方形床板が配置される部位でも、配線通路が形成されるし、配線通路の交差部が形成されるのが明らかであり、不明瞭であります。」及び「『正方形床板又は〜』の記載の意味は、配線通路の交差部に、正方形床板を配置すると共に、残余の部分にも正方形床板を配置するということになるが、それでは、長方形床板をわざわざ必須構成要件として定義した意味がないだけでなく、定義付した存在意義が全くない。」ので記載が不備であり、特許法第３６条第６項の規定を満たしていないから、
その特許を取り消すべき旨を主張している。
　尚、異議申立人は、申立書の申立理由において、請求項１に係る発明についてのみ言及している。しかしながら、異議申立のたに納付された料金は、全請求項（１１項）分であり、又申立書のかがみに申立の対象となる請求項の表示がなされていないから、全請求項に対して異議申立があったものとする。
３　甲号証記載の発明
　甲第１号証（先願明細書）、甲第３号証（刊行物２）、甲第４号証（刊行物３）、甲第５号証（刊行物４）、甲第６号証（刊行物５）及び甲第７号証（刊行物２）には、上記「二　３　（２）及び（３）」の項にそれぞれ示された発明が記載されている。
４　当審の判断
（１）上記イの主張について
　異議申立人の上記イ（特許法第２９条の２に関する）主張については、上記「二　３　（２）」の項で検討したように、本件訂正発明１は、上記先願明細書に記載された発明と同一であるはいえない。
　又、甲第２号証は、「ＩＢフロア　ＡＰ−ＵＮタイプ　製品仕様書、ナカ工業株式会社、平成６年３月」であり、特許出願及び実用新案登録出願に係るものではないから、特許法第２９条の２の規定に関する取消理由の根拠にはならない。
（２）上記ロの主張について
　異議申立人の上記ロ（特許法第２９条第２項に関する）主張については、上記「二　３　（３）」の項で検討したように、本件訂正発明１〜９は、上記甲第３〜７号証（刊行物１〜５）に記載された発明に基いて、当業者が容易に発明をすることができたものとすることはできない。
（３）上記ハの主張について
　異議申立人の上記ハ（特許法第３６条に関する）主張については、上記「二　３　（４）」の項で検討したように、本件訂正発明１は、上記訂正により明瞭となったから、本件訂正発明１に係る特許は、特許法第３６条第６項の規定する要件を満たす特許出願に対してされたものである。
　
四　むすび
　以上のとおりであるから、特許異議申立人の主張する理由及び提出した証拠方法によっては、本件訂正後の請求項１〜９に係る発明（本件訂正発明１〜９）の特許を取り消すことはできない。
　また、他に上記本件訂正発明１〜９の特許を取り消すべき理由を発見しない。
　よって、結論のとおり決定する。
【異議決定日】
平成１２年３月３１日（２０００．３．３１）
【訂正の要旨】
（訂正の要旨）
１．訂正事項１
　特許請求の範囲の減縮を目的として、
　特許請求の範囲の請求項１の、
「金属板の４辺にリブ用張出し部を突設し、該リブ用張出し部がリブとなるように当該リブ用張出し部を下方に折り曲げて、平面形状正方形の正方形床板を形成し、金属板の４辺にリブ用張出し部を突設し、該リブ用張出し部がリブとなるように当該リブ用張出し部を下方に折り曲げて、短辺が前記正方形の一辺に等しく、長辺が実質的に前記正方形の一辺の複数倍に等しい、平面形状長方形の長方形床板を形成し、前記正方形床板を配線通路の交差部に配置し、残余の部分に前記正方形床板又は長方形床板を配置し、各床板のコーナー部が集合する部分に、上面に各床板の前記リブが嵌入する嵌入溝を有する支持脚を配置して、該支持脚の前記上面によって前記各床板を支持したフリーアクセスフロア。」との記載を、
「金属板の４辺にリブ用張出し部を突設し、該リブ用張出し部がリブとなるように当該リブ用張出し部を下方に折り曲げて、平面形状正方形の正方形床板を形成し、金属板の４辺にリブ用張出し部を突設し、該リブ用張出し部がリブとなるように当該リブ用張出し部を下方に折り曲げて、短辺が前記正方形の一辺に等しく、長辺が実質的に前記正方形の一辺の複数倍に等しい、平面形状長方形の長方形床板を形成し、前記正方形床板と前記長方形床板を使用して、正方形床板の各辺に長方形床板の短辺が隣接するように各々配置して配線通路の交差部を形成し、残余の部分に前記長方形床板を配置し、各床板のコーナー部が集合する部分に、上面に各床板の前記リブが嵌入する嵌入溝を有する支持脚を配置して、該支持脚の前記上面によって前記各床板を支持し、前記嵌入溝に押え部を突設して、嵌入溝に床板の前記リブを圧入して固定できるように形成したフリーアクセスフロア。」と訂正する。
　又、同請求項２及び３を削除し、以降の請求項の項番を繰り上げる。
２．訂正事項２
　上記訂正事項１による特許請求の範囲の減縮に伴い生じる、特許請求の範囲の記載と発明の詳細な説明の記載との不整合を回避するために、明りょうでない記載の釈明を目的として、
（１）特許明細書段落【０００４】の「正方形床板を配線通路の交差部に配置し、残余の部分に前記正方形床板又は長方形床板を配置し、各床板のコーナー部が集合する部分に、上面に各床板の前記リブが嵌入する嵌入溝を有する支持脚を配置して、該支持脚の前記上面によって前記各床板を支持したフリーアクセスフロアである。」との記載を、「正方形床板と長方形床板を使用して、正方形床板の各辺に長方形床板の短辺が隣接するように各々配置して配線通路の交差部を形成し、残余の部分に長方形床板を配置し、各床板のコーナー部が集合する部分に、上面に各床板の前記リブが嵌入する嵌入溝を有する支持脚を配置して、該支持脚の前記上面によって前記各床板を支持し、嵌入溝に押え部を突設して、嵌入溝に床板のリブを圧入して固定できるように形成したフリーアクセスフロアである。」と訂正し、
（２）同段落【０００６】の「正方形床板１は、配線の通路の交差部に配置されており、この交差部以外の配線通路には、長方形床板２が配線通路に沿う方向に配置されている。」との記載を、「正方形床板１と長方形床板２とは、正方形床板１の各辺に長方形床板２の短辺が隣接するように各々配置され、配線通路の交差部を形成している。」と訂正し、
（３）同段落【００１１】の「図９はその一例を示し、この実施例では」との記載を、「図９にその一例を示し、この参考例では」と訂正し、
（４）同段落【００１６】の「【発明の効果】本発明によれば、・・・位置ずれを防止する機能を発揮する。更に両床板を適宜組み合わせることにより、配線通路の位置の変更に柔軟に対処することができる。」との記載を、「【発明の効果】本発明によれば、・・・位置ずれを防止する機能を発揮する。」と訂正し、
（５）同【図面の簡単な説明】欄の「【図９】配線通路のピッチを変更した場合を示す平面図」との記載を、「【図９】配線通路のピッチを変更した場合の参考例を示す平面図」と訂正する。
３．訂正事項３
　誤記の訂正を目的として、
　特許明細書段落【００１３】の「扇形部５ｂ」との記載を、「扇形部５ｃ」と訂正する。
（５４）【発明の名称】
フリーアクセスフロア
（５７）【特許請求の範囲】
　　　【請求項１】
　金属板の４辺にリブ用張出し部を突設し、該リブ用張出し部がリブとなるように当該リブ用張出し部を下方に折り曲げて、平面形状正方形の正方形床板を形成し、
　金属板の４辺にリブ川張出し部を突設し、該リブ用張出し部がリブとなるように当該リブ用張出し部を下方に折り曲げて、短辺が前記正方形の一辺に等しく、長辺が実質的に前記正方形の一辺の複数倍に等しい、平面形状長方形の長方形床板を形成し、
　
前記正方形床板と前記長方形床板を使用して、正方形床板の各辺に長方形床板の短辺が隣接するように各々配置して配線通路の交差部を形成し、残余の部分に前記長方形床板を配置し、
　各床板のコーナー部が集合する部分に、上面に各床板の前記リブが嵌入する嵌入溝を有する支持脚を配置して、該支持脚の前記上面によって前記各床板を支持し
、前記嵌入溝に押え部を突設して、嵌入溝に床板の前記リブを圧入して固定できるように形成したフリーアクセスフロア。
　　　【請求項
２
　前記支持脚は、上面に十文字状の溝を有し、該十文字の交差部を除いた部分の溝の中央にスペーサを突設して、隣接する各床板の前記リブが互いに当接しないように前記嵌入溝を形成した、請求項
１
　　　【請求項
３
　前記支持脚は、上面に十文字状の溝を有し、該十文字の交差部を除いた部分の溝の中央にスペーサを突設して、隣接する各床板の前記リブが互いに当接しないように前記嵌入溝を形成し、下面にパイプ嵌入部を形成したキャップと、該キャップの前記パイプ嵌入部に嵌入したパイプとからなり、該パイプの下端に緩衝材を取り付けた、請求項
１
　　　【請求項
４
　隣接する少なくとも２つの前記緩衝材を連結した、請求項
３
　　　【請求項
５
　前記長方形床板の長辺の中間部に、配線取出し溝を形成した、請求項１、２、３
又は４
　　　【請求項
６
　前記配線取出し溝を形成した部分に前記支持脚を配置し、前記配線取出し溝の奥行きを、前記支持脚によって隠蔽されないほど長く形成した、請求項
５
　　　【請求項
７
　前記長方形床板の長辺の中間部に、折り曲げ加工によって配線取り出し用の溝とすることができる一対のスリットを形成した、請求項１〜
６
　　　【請求項
８
　前記正方形床板の上面に十文字状の配線方向マークを付した、請求項１〜
７
　　　【請求項
９
　前記正方形床板又は長方形床板の４辺のリブのうち、少なくとも１辺のリブの一端に切込みを設けた、請求項１〜
８
【発明の詳細な説明】
　　　【０００１】
　　　【発明の属する技術分野】
　この発明は、床スラブ上に載置されて床スラブとの間に間隙を設けるようにして敷き詰めるフリーアクセスフロアに関する。
　　　【０００２】
　　　【従来の技術】
　近代的なオフィスでは、電源ケーブルや通信ケーブルなどを自在に引き回すことができるように、床スラブ上にフリーアクセスフロアを敷き詰めて２重床構造としている。従来より行われている一般的なフリーアクセスフロアは、平面形状正方形の床板の四隅に支持脚を立設し、この床板を前後方向と左右方向とに等間隔をあけて配置し、２枚の床板が隣接する部分に長方形の溝板を掛け渡してその両側を２枚の床板の辺によって支持し、４枚の床板が隣接する部分に正方形の溝板を掛け渡してその四隅を４枚の床板のコーナー部で支持し、各種のケーブルを溝板内に収納する構成としていた。
　　　【０００３】
　　　【発明が解決しようとする課題】
　上記従来のフリーアクセスフロアでは、各溝板を隣接する床板によって支持しているから、床板と溝板との構成が全く異なっており、すなわち溝板の構成は簡単となるが、それ以上に床板の構成が複雑になるから、全体としてのコスト高を招く要因となっていた。
　したがって本発明は、構造簡単なフリーアクセスフロアを提供することを目的とする。
　　　【０００４】
　　　【課題を解決するための手段】
　本発明は上記目的を達成するためになされたものであり、すなわち、金属板の４辺にリブ用張出し部を突設し、該リブ用張出し部がリブとなるように当該リブ用張出し部を下方に折り曲げて、平面形状正方形の正方形床板を形成し、金属板の４辺にリブ用張出し部を突設し、該リブ用張出し部がリブとなるように当該リブ用張出し部を下方に折り曲げて、短辺が正方形の一辺に等しく、長辺が実質的に正方形の一辺の複数倍に等しい、平面形状長方形の長方形床板を形成し、
正方形床板と長方形床板を使用して、正方形床板の各辺に長方形床板の短辺が隣接するように各々配置して配線通路の交差部を形成し、残余の部分に長方形床板を配置し、
、嵌入溝に押え部を突設して、嵌入溝に床板のリブを圧入して固定できるように形成したフリーアクセスフロア
　　　【０００５】
　　　【発明の実施の形態】
　本発明を図面によって説明する。図１は本発明の一実施例を示し、このフリーアクセスフロアは、正方形床板１と、長方形床板２と、これらの床板１，２を支持する支持脚３とからなる。正方形床板１は、平面形状正方形に形成されている。長方形床板２は平面形状長方形をなし、その短辺の長さは正方形床板１の一辺の長さと等しく形成されており、長辺の長さは実質的に正方形床板１の一辺の長さの２倍に形成されている。すなわちこれらの床板１，２は床スラブ上に敷き詰められるが、本実施例では隣接する各床板は僅かの間隙をあけて配置されており、したがって長方形床板の長辺の長さは、正方形床板１の一辺の長さの２倍にこの間隙を加えた分の長さに形成されている。なお各床板１，２を間隙をあけずに配置することもできるし、また長方形床板の長辺の長さを、正方形床板１の一辺の長さの例えば３倍に形成することもできる。
　　　【０００６】
　
正方形床板１と長方形床板２とは、正方形床板１の各辺に長方形床板２の短辺が隣接するように各々配置され、配線通路の交差部を形成している。
　　　【０００７】
　正方形床板１は図２に示すように、金属板の４辺にリブ用張出し部１ａを突設し、該リブ用張出し部１ａがリブ１ｂとなるように、当該リブ用張出し部１ａを下方に折り曲げて形成されており、したがって著しく容易に製造することができる。同様に長方形床板２も図３に示すように、金属板の４辺にリブ用張出し部２ａを突設し、該リブ用張出し部２ａがリブ２ｂとなるように当該リブ用張出し部２ａを下方に折り曲げて形成されている。但し長方形床板２の両長辺のうち、一方の長辺の中央には配線取出し溝２ｃが形成されており、他方の長辺の中央には、折り曲げ加工によって配線取り出し用の溝とすることができる一対のスリット２ｄ，２ｄが形成されている。
　　　【０００８】
　支持脚３は図４に示すように有蓋円筒状に形成され、上面に十文字状の溝を有し、この十文字の交差部を除いた部分の溝の中央に４個のスペーサ３ａが突設されており、したがって４個のスペーサ３ａのそれぞれの両側に嵌入溝３ｂが形成されている。この支持脚は図１に示すように、４枚の床板１，２のコーナー部が集合する部分と、２枚の長方形床板２のコーナー部と、１枚の長方形床板の中央とが集合する部分とに配置されるほか、本実施例では長方形床板２，２どうしの長辺が隣接する部分の当該長辺の中央部にも配置されている。したがって結局この支持脚３は、実質的に正方形床板１の一辺の長さに等しいピッチで、前後左右に配置されている。
　但しフリーアクセスフロアのボーダー部では図５に示すように、各支持脚３は本来の位置よりも若干内側に配置されており、この場合支持脚３の上面と各床板１，２の下面とを、接着剤などによって固定することが好ましい。なお本実施例の支持脚のスペーサ３ａは、図４（Ａ）に示すように互いに独立して形成されているが、４枚の床板１，２のコーナー部が集合する部分に配置する支持脚３については、図６に示すように各スペーサ３ａを連結させて、十文字状のスペーサとすることもできる。
　　　【０００９】
　支持脚の嵌入溝３ｂ内には各床板のリブ１ｂ，２ｂが嵌入し、したがって各床板１，２のコーナー部では、互いに直交する２個のリブがそれぞれの嵌入溝３ｂに嵌入するから、各床板１，２は支持脚３によって位置決めされることになる。すなわち各床板のリブ１ｂ，２ｂは、各床板１，２の強度向上を図る機能と、各床板１，２の位置決めを図る機能とを併せ持つ。但しリブ１ｂ，２ｂの下端は図４（Ｂ）に示すように、嵌入溝３ｂの底面を押圧してはいない。すなわちリブ１ｂ，２ｂは各床板１，２を支持する機能は持っておらず、各床板１，２は支持脚３の上面によって支持されている。なお本実施例の支持脚ではスペーサ３ａを設けて、隣接するリブ１ｂ，２ｂの当接に起因する異音を排除しているが、スペーサ３ａを設けない構成とすることもできる。
　　　【００１０】
　既述のごとく長方形床板２の一辺の長辺の中央には配線取出し溝２ｃが形成されており、且つその直下には支持脚３が配置されている。この配線取出し溝２ｃの奥行きは、図５に示すように十分に長く形成されており、したがってこの配線取出し溝２ｃの一部分は支持脚３によって隠蔽されてはいない。したがって同図に示すようにその隙間より配線４を取り出すことができる。
　取り出そうとする配線が相当に太径のときには、次のようにする。すなわち図５のＡ部より太径の配線を取り出そうとするときには、図７に示すように２枚の長方形床板２，２についてそれぞれの長辺を入れ替え、Ａ部にスリット２ｄを集め、このスリット２ｄの部分を下方に折り曲げて配線取出し口とする。但し配線の径が中程度のときには、１枚の長方形床板２だけを入れ替えて、そのスリット２ｄ部分を折り曲げることもできる。また図５のＢ部より太径の配線を取り出そうとするときには、図８に示すように２枚の長方形床板２，２の配置の方向を縦長とし、更にＢ部にスリット２ｄを集め、このスリット２ｄの部分を下方に折り曲げて配線取出し口とする。これらのときにはスリット２ｄの直下にある支持脚３が邪魔になるから、図７、図８に示すようにスリットの両脇に支持脚３，３を配置することになる。
　　　【００１１】
　以上の実施例では配線通路は前後方向にも左右方向にも中２ピッチをあけて１ピッチの幅だけ設けた場合を示したが、各床板１，２を適宜配置することにより、配線通路を任意のピッチで任意の幅だけ設けることができる。図９にその一例を示し、この
参考
　　　【００１２】
　以上詳述したように、本実施例によれば、構造が極めて簡単な正方形床板１と長方形床板２と、樹脂などによって極めて容易に製造することができる支持脚３との３部材によって、極めて柔軟性に富んだフリーアクセスフロアを得ることができる。また床の高さを変更しようとするときには、支持脚３のみを変更すれば良く、この面でも柔軟性が高い。しかもフリーアクセスフロアの全体にわたって各床板１，２が各支持脚３によって連結されているから、横ずれなどが生じる余地がなく、アクセスフロア全体が一体化した安定感が得られる。更に配線通路以外の部分の床板の下面にも空間があるから、配線４の余長を収納することができる。
　　　【００１３】
　次に図１０〜１２は支持脚の別の実施例を示す。この支持脚はキャップ５とパイプ６とからなり、パイプ６の下端に緩衝材７が取り付けられている。キャップ５は樹脂によって形成され、ベースプレート５ａ上に４つのスペーサ５ｂが立設されている。各スペーサ５ｂの間に扇形部５ｃが立設されており、こうしてスペーサ５ｂと扇形部５ｃとの間に嵌入溝５ｄが形成されている。各扇形部５
ｃ
ｃ
　他方、緩衝材７は図１３及び図１４に示すように、ベースプレートに円筒部を立設した形状をなしており、この円筒部にパイプ６の下端が嵌入されている。また緩衝材７は図１５に示すように、都合９つの緩衝材７が「田」の字状に連結部材８によって相互に連結されている。
　　　【００１４】
　以上のように本実施例では支持脚の本体部にパイプ６を用いているから、パイプ６の長さを変更することにより、床高さを自由に変更することができる。なおパイプ６としては、円筒状に限らず、角筒状のパイプを用いることもできる。またパイプ６と床板１，２との間に樹脂製のキャップ５が介在しており、パイプ６と床スラブとの間に緩衝材７が介在しているから、歩行等に伴う異音の発生を抑制することができる。またキャップ５には押え部５ｅが設けられているから、床板１，２の組み込み侍の安定化が図られる。なお本実施例ではキャップの嵌入溝５ｄに床板１，２を嵌入した場合を示したが、框やスロープなどを嵌入してこれらの構造を簡易化することもできる。また緩衝材７は主としてパイプ６の下端面のみに配置されており、すなわち床スラブとの接触面積が少ないから、床スラブの不陸への対処が容易となっている。
　更に床板と支持脚とは連結部材８によってユニット化しているから、床板の位置決めが容易となり、且つ搬送に便利である。また連結部材８を切断して支持脚を個別化し、任意の場所の床板の下面に配置することができるから、容易に床板の支持の補強を図ることができる。
　　　【００１５】
　次に図１６は正方形床板９の別の実施例を示す。同図に示すようにこの正方形床板９の上面には、十文字状の配線方向マーク９ａが付されている。したがって配線方向を容易に確認することができる。
　またこの床板９の４辺のリブのうち、１辺のリブの一端に切込み９ｂが設けられている。したがってもう１枚の正方形床板９を互いの裏面が向き合うように配置すると、両床板の切込みによって両床板９，９は組み付けられるから、搬送時の体積が減少し、且つ取り扱いも容易となる。なお長方形床板にも同様の切込みを設けることができる。また切込み９ｂは１辺のリブの一端に設ければ足りるが、例えば４辺のリブの両端すべてに設けることもできる。このように形成しても、床板の端部は支持脚の上面で支持されているから、強度の低下を招くことはない。
　　　【００１６】
　　　【発明の効果】
　本発明によれば、正方形床板と長方形床板とは平面的な大きさ以外はほぼ同様に形成されており、これら両床板と支持脚との３部材だけによってこのフリーアクセスフロアは構成されているから、構造が極めて簡単なフリーアクセスフロアとなる。また両床板は金属板の折り曲げ加工によって容易に形成されるものの、リブを有するから十分な強度を有し、しかもこのリブは支持脚の嵌入溝に嵌入して位置ずれを防止する機能を発揮する
。
【図面の簡単な説明】
　【図１】本発明の一実施例を示す部分切欠き平面図
　【図２】正方形床板のリブ用張出し部の折り曲げ加工前を示す平面図
　【図３】長方形床板のリブ用張出し部の折り曲げ加工前を示す平面図
　【図４】支持脚を示す（Ａ）平面図と、（Ｂ）正面図
　【図５】ボーダー部での支持脚の取付け位置と、細径の配線の取出し方法を示す平面図
　【図６】支持脚の別の実施例を示す平面図
　【図７】図５中Ａ部での太径の配線の取出し方法を示す平面図
　【図８】図５中Ｂ部での太径の配線の取出し方法を示す平面図
　【図９】配線通路のピッチを変更した場合
の参考例
　【図１０】支持脚の別の実施例のキャップを示す平面図
　【図１１】図１０中Ａ−Ａ線断面図
　【図１２】図１０中Ｂ−Ｂ線断面図
　【図１３】支持脚の別の実施例の緩衝材を示す平面図
　【図１４】同じく縦断面図
　【図１５】支持脚の別の実施例の緩衝材と連結部材を示す平面図
　【図１６】正方形床板の別の実施例を示す平面図
　【符号の説明】
１…正方形床板　　　　　１ａ…リブ用張出し部　　１ｂ…リブ
２…長方形床板　　　　　２ａ…リブ用張出し部　　２ｂ…リブ
２ｃ…配線取出し溝　　　２ｄ…スリット
３…支持脚　　　　　　　３ａ…スペーサ　　　　　３ｂ…嵌入溝
４…配線　　　　　　　　５…キャップ　　　　　　５ａ…ベースプレート
５ｂ…スペーサ　　　　　５ｃ…扇形部　　　　　　５ｄ…嵌入溝
５ｅ…押え部　　　　　　５ｆ…円筒部　　　　　　６…パイプ
７…緩衝材　　　　　　　８…連結部材　　　　　　９…正方形床板
９ａ…配線方向マーク　　９ｂ…切込み